(57)【特許請求の範囲】
【請求項１】
マルチモード無線通信システムを制御するための方法であって、
制御サーバによって、第1設定条件に基づいて、端末と、前記マルチモード無線通信システムにおけるいずれか1つの通信システムとの間の基本リンクを確立するステップと、
第2設定条件に基づいて、前記制御サーバによって、前記端末のサービスの伝送のためのサービス通信システムとして、前記マルチモード無線通信システムから、通信システムを選択するステップであって、前記選択されたサービス通信システムの各々は、前記端末の前記サービスのうちの１つの伝送のためである、ステップと、
前記制御サーバによって、前記基本リンク上の前記端末に制御情報を送信するステップであって、前記制御情報は、前記端末の前記サービスの前記伝送のための前記サービス通信システムを示すために使用される、ステップと
を含み、
前記基本リンクは、前記端末の前記サービスの前記伝送の間、アクティブ状態を保つ制御リンクである、方法。
【請求項２】
端末と、前記マルチモード無線通信システムにおけるいずれか1つの通信システムとの間の基本リンクを確立する前記ステップの後に、前記方法が、
前記制御サーバによって、前記端末によって通知された前記基本リンクのリンク品質を受信するステップ、又は、前記制御サーバによって、前記基本リンクに対応するネットワークデバイスによって通知された前記基本リンクのリンク品質を受信するステップと、
もし前記基本リンクの前記リンク品質が設定条件を満たさない場合、前記制御サーバによって、前記第1設定条件に基づいて、前記端末と前記マルチモード無線通信システムにおけるいずれか1つの通信システムとの間に新たな基本リンクを確立するステップと
をさらに含む、請求項1に記載の方法。
【請求項３】
前記第1設定条件は、前記基本リンクに対応している通信システムよりも、前記マルチモード無線通信システムにおける少なくとも1つの他の通信システムの現在の信号品質を含み、かつ、
前記端末と前記マルチモード無線通信システムにおけるいずれか1つの通信システムとの間に新たな基本リンクを確立する前記ステップの前に、前記方法は、
前記制御サーバによって、第1測定指示を前記端末に送信するステップであって、前記第1測定指示は、前記基本リンクに対応している前記通信システムよりも、前記マルチモード無線通信システムにおける前記少なくとも1つの他の通信システムの現在の信号品質を測定するための指示として使用される、ステップと、
前記制御サーバによって、前記基本リンクに対応している前記通信システムよりも、前記マルチモード無線通信システムにおける前記少なくとも1つの他の通信システムの前記現在の信号品質を受信するステップであって、前記現在の信号品質は、前記端末によって通知される、ステップと
をさらに含む、請求項2に記載の方法。
【請求項４】
前記第2設定条件は、現在のサービス通信システム及び前記基本リンクに対応している前記通信システムよりも、前記マルチモード無線通信システムにおける少なくとも1つの他の通信システムの信号品質をさらに含み、かつ、
前記端末のサービスの伝送のためのサービス通信システムとして、前記マルチモード無線通信システムから、通信システムを選択する前記ステップの前に、前記方法は、
前記制御サーバによって、第2測定指示を前記端末に送信するステップであって、前記第2測定指示は、前記現在のサービス通信システム及び前記基本リンクに対応する前記通信システムよりも、前記マルチモード無線通信システムにおける前記少なくとも1つの他の通信システムの信号品質を測定するための指示として使用される、ステップと、
前記制御サーバによって、前記現在のサービス通信システム及び前記基本リンクに対応する前記通信システムよりも、前記マルチモード無線通信システムにおける前記少なくとも1つの他の通信システムの前記信号品質を受信するステップであって、前記信号品質は、前記端末によって通知される、ステップと
をさらに含む、請求項1〜3のいずれか一項に記載の方法。
【請求項５】
マルチモード無線通信システムを制御するための方法において、
基本リンク上の端末によって、制御サーバにより送信された制御情報を受信するステップであって、前記制御情報が、前記端末のサービスの伝送のためのサービス通信システムを示すために使用され、前記基本リンクが、前記端末と、前記マルチモード無線通信システムにおけるいずれか1つの通信システムとの間に確立され、かつ、前記端末の前記サービスのうちの１つの伝送のための前記サービス通信システムの各々が、前記制御サーバによって、前記マルチモード無線通信システムから選択される、ステップと、
前記端末によって、前記制御情報に基づいて、各サービスに対応するリンクを確立し、かつ/又は解放するステップと
を含み、
前記基本リンクは、前記端末の前記サービスの前記伝送の間、アクティブ状態を保つ制御リンクである、方法。
【請求項６】
基本リンク上の端末によって、制御サーバにより送信された制御情報を受信する前記ステップの後に、前記方法が、
前記端末によって、前記基本リンクのリンク品質を検出するステップ、及び、前記基本リンクの前記リンク品質を前記制御サーバに通知するステップであって、その結果、前記制御サーバは、前記端末と前記マルチモード無線通信システムにおけるいずれか1つの通信システムとの間に新たな基本リンクを確立するか否かを判定する、ステップ
をさらに含む、請求項5に記載の方法。
【請求項７】
基本リンク上の端末によって、制御サーバにより送信された制御情報を受信する前記ステップの後に、前記方法は、
前記端末によって、前記制御サーバにより送信された第1測定指示を受信するステップであって、前記第1測定指示は、前記基本リンクに対応する通信システムよりも、前記マルチモード無線通信システムにおける少なくとも1つの他の通信システムの現在の信号品質を測定するための指示として使用される、ステップと、
前記端末によって、前記基本リンクに対応している前記通信システムよりも、前記マルチモード無線通信システムにおける前記少なくとも1つの他の通信システムの前記現在の信号品質を測定するステップ、及び、前記基本リンクに対応している前記通信システムよりも、前記マルチモード無線通信システムにおける前記少なくとも1つの他の通信システムの前記現在の信号品質を、前記制御サーバに通知するステップと
をさらに含む請求項6に記載の方法。
【請求項８】
基本リンク上の端末によって、制御サーバにより送信された制御情報を受信する前記ステップの前に、前記方法が、
前記端末によって、前記制御サーバにより送信された第2測定指示を受信するステップであって、前記第2測定指示が、現在のサービス通信システム及び前記基本リンクに対応している前記通信システムよりも、前記マルチモード無線通信システムにおける少なくとも1つの他の通信システムの信号品質を測定するための指示として使用される、ステップと、
前記現在のサービス通信システム及び前記基本リンクに対応する前記通信システムよりも、前記マルチモード無線通信システムにおける前記少なくとも1つの他の通信システムの前記信号品質を測定するステップ、及び、前記現在のサービス通信システム及び前記基本リンクに対応する前記通信システムよりも、前記マルチモード無線通信システムにおける前記少なくとも1つの他の通信システムの前記信号品質を、前記制御サーバに通知するステップと
をさらに含む、請求項5〜7のいずれか一項に記載の方法。
【請求項９】
制御サーバであって、
第1設定条件に基づいて、端末と、マルチモード無線通信システムにおけるいずれか1つの通信システムとの間の基本リンクを確立し、かつ、第2設定条件に基づいて、前記端末のサービスの伝送のためのサービス通信システムとして前記マルチモード無線通信システムから、通信システムを選択するように構成されるプロセッサであって、前記選択されたサービス通信システムの各々は、前記端末の前記サービスのうちの１つの伝送のためである、プロセッサと、
制御情報を前記基本リンク上の前記端末に送信するように構成されたトランシーバであって、前記制御情報は、前記端末の前記サービスの前記伝送のための前記サービス通信システムを示すために使用される、トランシーバと
を備え、
前記基本リンクは、前記端末の前記サービスの前記伝送の間、アクティブ状態を保つ制御リンクである、制御サーバ。
【請求項１０】
前記トランシーバは、前記端末によって通知された前記基本リンクのリンク品質を受信し、又は、前記基本リンクに対応するネットワークデバイスによって通知された前記基本リンクのリンク品質を受信するようにさらに構成され、かつ、
前記プロセッサは、もし前記基本リンクの前記リンク品質が、設定条件を満たさない場合、前記第1設定条件に基づいて、前記端末と前記マルチモード無線通信システムにおけるいずれか1つの通信システムとの間に新たな基本リンクを確立するようにさらに構成される、請求項9に記載の制御サーバ。
【請求項１１】
前記第1設定条件は、前記基本リンクに対応する通信システムよりも、前記マルチモード無線通信システムにおける少なくとも1つの他の通信システムの現在の信号品質をさらに含み、かつ、
前記トランシーバは、第1測定指示を前記端末に送信するようにさらに構成され、前記第1測定指示は、前記基本リンクに対応している前記通信システムよりも、前記マルチモード無線通信システムにおける前記少なくとも1つの他の通信システムの現在の信号品質を測定するための指示として使用され、かつ、
前記トランシーバは、前記基本リンクに対応している前記通信システムよりも、前記マルチモード無線通信システムにおける前記少なくとも1つの他の通信システムの前記現在の信号品質を受信するようにさらに構成され、前記現在の信号品質は、前記端末によって通知される、請求項10に記載の制御サーバ。
【請求項１２】
前記第2設定条件は、現在のサービス通信システム及び前記基本リンクに対応している前記通信システムよりも、前記マルチモード無線通信システムにおける少なくとも1つの他の通信システムの信号品質をさらに含み、かつ、
前記トランシーバは、第2測定指示を前記端末に送信するようにさらに構成され、第2測定指示は、前記現在のサービス通信システム及び前記基本リンクに対応する前記通信システムよりも、前記マルチモード無線通信システムにおける前記少なくとも1つの他の通信システムの信号品質を測定するための指示として使用され、かつ、
前記トランシーバは、前記現在のサービス通信システム及び前記基本リンクに対応する前記通信システムよりも、前記マルチモード無線通信システムにおける前記少なくとも1つの他の通信システムの前記信号品質を受信するようにさらに構成され、前記信号品質は、前記端末によって通知される、請求項9〜11のいずれか一項に記載の制御サーバ。
【請求項１３】
端末において、
基本リンク上で、制御サーバにより送信された制御情報を受信するように構成されるトランシーバであって、前記制御情報は、前記端末のサービスの伝送のためのサービス通信システムを示すために使用され、前記基本リンクは、前記端末とマルチモード無線通信システムにおけるいずれか1つの通信システムとの間に確立され、かつ、前記端末の前記サービスのうちの１つの伝送のための前記サービス通信システムの各々は、前記制御サーバによって、前記マルチモード無線通信システムから選択される、トランシーバと、
前記制御情報に基づいて、各サービスに対応するリンクを確立し、かつ/又は解放するように構成されるプロセッサと
を含み、
前記基本リンクは、前記端末の前記サービスの前記伝送の間、アクティブ状態を保つ制御リンクである、端末。
【請求項１４】
複数の無線通信モジュールをさらに含み、
それぞれの前記無線通信モジュールは、前記マルチモード無線通信システムにおける1つの通信システムに対応しており、かつ、
それぞれの前記無線通信モジュールは、前記プロセッサの制御下で、対応する通信システムへのリンクを確立し、又は解放するように構成される、請求項13に記載の端末。
【請求項１５】
前記プロセッサは、前記制御情報に示される前記サービス通信システムに基づいて、少なくとも1つの前記無線通信モジュールにおいて、クローズ、スタート、又はスリープ制御を実行するようにさらに構成される、請求項14に記載の端末。
【発明の詳細な説明】
【技術分野】
【０００１】
本発明は、モバイル通信技術の分野に関し、特に、マルチモード無線通信システムを制御するための方法、制御サーバ、及び端末に関する。
本願は、2012年2月29日に出願された、発明の名称を“METHOD FOR CONTROLLING MULTIMODE RADIO COMMUNICATIONS SYSTEM, CONTROL SERVER AND TERMINAL”とする、中国特許出願第201210050093.X号の優先権を主張するとともに、参照により、その全体がここに組み込まれる。
【背景技術】
【０００２】
既存のモバイル通信システムは、様々な無線ネットワークを含んでおり、かつ、それぞれの無線アクセス技術は、例えばキャパシティ、カバレッジ、データレート、及びモビリティサポート能力のような面において、その独自の特徴を有している。既存の無線アクセス技術の継続的な発展とともに、新たな無線アクセス技術が出現している。それらは、お互いを補完したり重複したりし、又は統合される。現在、マルチモード無線通信システムを強化するための様々な解決策が、次々に出現している。マルチモード無線システムを強化する解決策は、ユーザのために統一された無線サービスを提供する。
【０００３】
従来技術では、マルチモード端末が、異なるサービスを使用するとき、コアネットワーク側のゲートウェイが、サービス特徴に基づいて異なる無線通信システムにサービスデータを配信しているが、マルチモード無線通信システムの無線リソースの低利用率の原因となっている。
【発明の概要】
【課題を解決するための手段】
【０００４】
本発明の態様は、マルチモード無線通信システムを制御するための方法、制御サーバ、及び端末を提供し、マルチモード無線通信システムの無線リソースの利用率及びユーザ体験を改善する。
【０００５】
一態様に基づいて、本発明の実施形態は、マルチモード無線通信システムを制御するための方法を提供し、該方法は、
制御サーバによって、第1設定条件に基づいて、端末と、前記マルチモード無線通信システムにおけるいずれか1つの通信システムとの間の基本リンクを確立するステップと、
前記制御サーバによって、第2設定条件に基づいて、前記端末の各サービスの伝送のためのサービス通信システムとして、前記マルチモード無線通信システムから通信システムを選択するステップと、
前記制御サーバによって、制御情報を前記基本リンク上の前記端末に送信するステップであって、前記制御情報は、前記端末の各サービスの伝送のための前記サービス通信システムを示すために使用される、ステップと
を含む。
【０００６】
本発明の態様は、マルチモード無線通信システムを制御するための方法をさらに提供し、該方法は、
端末によって、基本リンク上で、制御サーバによって送信された制御情報を受信するステップであって、前記制御情報は、前記端末の各サービスの伝送のためのサービス通信システムを示すために使用され、前記基本リンクは、前記端末と、前記マルチモード無線通信システムにおけるいずれか1つの通信システムとの間に確立され、かつ、前記端末の各サービスの伝送のための前記サービス通信システムは、前記制御サーバによって、前記マルチモード無線通信システムから選択される、ステップと、
前記端末によって、前記制御情報に示される前記サービス通信システムに基づいて、各サービスに対応するリンクを確立するステップ、及び/又は解放するステップと
を含む。
【０００７】
別の態様に基づいて、本発明の実施形態は、制御サーバをさらに提供し、該制御サーバは、
第1設定条件に基づいて、端末と、マルチモード無線通信システムにおけるいずれか1つの通信システムとの間の基本リンクを確立し、かつ、第2設定条件に基づいて、前記端末の各サービスの伝送のためのサービス通信システムとして、前記マルチモード無線通信システムから通信システムを選択するように構成されたプロセッサと、
制御情報を前記基本リンク上の前記端末に送信するように構成されたトランシーバであって、前記制御情報は、前記端末の各サービスの伝送のための前記サービス通信システムを示すために使用される、トランシーバと
を備える。
【０００８】
別の態様に基づいて、本発明は、端末をさらに提供し、該端末は、
基本リンク上で、制御サーバによって送信された制御情報を受信するように構成されたトランシーバであって、前記制御情報は、前記端末の各サービスの伝送のためのサービス通信システムを示すために使用され、前記基本リンクは、前記端末とマルチモード無線通信システムにおけるいずれか1つの通信システムとの間に確立され、かつ、前記端末の各サービスの伝送のための前記サービス通信システムは、前記制御サーバによって、前記マルチモード無線通信システムから選択される、トランシーバと、
前記制御情報に示される前記サービス通信システムに基づいて、各サービスに対応するリンクを確立し、かつ/又は解放するように構成されたプロセッサと
を備える。
【０００９】
本発明の態様において提供されるマルチモード無線通信システムを制御するための方法、前記制御サーバ、及び前記端末に基づいて、無線アクセスネットワーク側で展開される制御サーバは、はじめに端末と通信システムとの間に基本リンクを確立し、ついで制御情報を前記基本リンク上の前記端末に送信し、その結果、各サービスに対して前記制御サーバによって決定されたサービス通信システムに基づいて、対応するリンクを確立する、又は解放するように前記端末を制御することができ、それによって、無線リソースの利用率とマルチモード無線通信環境におけるユーザ体験とを改善することができる。
【図面の簡単な説明】
【００１０】
本発明の実施形態又は従来技術における技術的解決策をより明瞭に説明するために、以下に、本発明の実施形態又は従来技術の説明に必要な添付図面を簡潔に説明する。以下の説明における添付図面は、本発明のいくつかの実施形態を示しており、当業者が創造的努力なしに、これらの添付図面に基づいてさらに他の図面を導きだすことができることは明らかである。
【図１】本発明に基づく、マルチモード無線通信システムを制御するための方法の実施形態を説明するフローチャートである。
【図２】本発明に基づく、マルチモード無線通信システムを制御するための方法の別の実施形態を説明するフローチャートである。
【図３Ａ】本発明に基づく、基本リンクを確立し、かつ該基本リンクを更新するための実施形態を説明するフローチャートである。
【図３Ｂ】本発明に基づく、基本リンクを確立し、かつ該基本リンクを更新するための実施形態を説明するフローチャートである。
【図３Ｃ】本発明に基づく、基本リンクを確立し、かつ該基本リンクを更新するための実施形態を説明するフローチャートである。
【図４Ａ】本発明に基づく、基本リンク上で端末を制御し、様々な通信システムを使用し、サービス伝送を実行するための実施形態を説明するフローチャートである。
【図４Ｂ】本発明に基づく、基本リンク上で端末を制御し、様々な通信システムを使用し、サービス伝送を実行するための実施形態を説明するフローチャートである。
【図４Ｃ】本発明に基づく、基本リンク上で端末を制御し、様々な通信システムを使用し、サービス伝送を実行するための実施形態を説明するフローチャートである。
【図５Ａ】本発明に基づく、基本リンク上で端末を制御し、様々な通信システムを使用し、サービス伝送を実行するための別の実施形態を説明するフローチャートである。
【図５Ｂ】本発明に基づく、基本リンク上で端末を制御し、様々な通信システムを使用し、サービス伝送を実行するための別の実施形態を説明するフローチャートである。
【図６】本発明に基づく、制御サービスの実施形態を説明する概略構造図である。
【図７】本発明に基づく、端末の実施形態を説明する概略構造図である。
【図８】本発明に基づく、端末の別の実施形態を説明する概略構造図である。
【発明を実施するための形態】
【００１１】
本発明の実施形態の課題、技術的解決策、及び利点をより明瞭にするために、以下に、本発明の実施形態における技術的解決策を、本発明の実施形態における添付図面を参照して、明瞭かつ十分に説明する。説明する実施形態は、本発明の実施形態の全てというよりはむしろ一部であることは明らかである。当業者によって、創造的努力なしに本発明の実施形態に基づいて得られる全ての他の実施形態は、本発明の保護範囲であるものとする。
【００１２】
図1は、本発明に基づく、マルチモード無線通信システムを制御するための方法の実施形態を説明するフローチャートである。図1に示されるように、前記方法は、以下のステップを含む。
S101. 制御サーバは、第1設定条件に基づいて、端末と、マルチモード無線通信システムにおけるいずれか1つの通信システムとの間の基本リンクを確立する。
【００１３】
S102. 前記制御サーバは、第2設定条件に基づいて、前記端末の各サービスの伝送のためのサービス通信システムとして、前記マルチモード無線通信システムから通信システムを選択する。
【００１４】
S103. 前記制御サーバは、前記基本リンク上で、前記端末に制御情報を送信する。前記制御情報は、前記端末の各サービスの伝送のための前記サービス通信システムを示すために使用される。
【００１５】
前述したステップは、制御サーバ(MI RADIO Control Server)によって実行され、無線アクセスネットワーク(Radio Access Network, RAN)側で独立的に展開されるデバイスであってもよく、又は、無線アクセスネットワーク側の別のデバイスと統合されてもよく、すなわち、前記無線アクセスネットワーク側の別のデバイスの機能モジュールであってもよく、前記別のデバイスは、進化型NodeB(evolved Node B, eNodeB)、又は無線ネットワーク制御器(Radio Network Controller, RNC, RNC)等を備える。前記制御サーバは、無線アクセスネットワーク側の前記マルチモード無線通信システムにおける各通信システムに対してアプリケーションプログラムインターフェース(Application Programming Interface, API)を提供してもよく、その結果、各通信システムにおける伝送制御を容易にする。
【００１６】
本発明のこの実施形態において、マルチモード無線通信システムが、端末とRAN側との間に存在し、これは、前記端末が、1又は2以上の無線通信システムのサービスを同時に使用することができることを意味している。前記マルチモード無線通信システムは、特に、第三世代パートナーシッププロジェクト(The 3rd Generation Partnership Project, 3GPP)において、モバイル通信のためのグローバルシステム(Global System of Mobile communication, GSM（登録商標）)、広帯域符号分割多重アクセス(Wideband Code Division Multiple Access, WCDMA（登録商標）)、時分割-同期符号分割多重アクセス(Time Division-Synchronous Code Division Multiple Access, TD-SCDMA)、及びロングタームエボリューション(Long Term Evolution, LTE)等を含んでもよい。さらに、前記マルチモード無線通信システムは、例えばワールドワイド・インターオペラビリティ・フォー・マイクロウェーブ・アクセス(Worldwide Interoperability for Microwave Access, WIMAX)、符号分割多重アクセス(Code Division Multiple Access, CDMA)、ワイヤレスローカルエリアネットワーク(Wireless Local Area Networks, WLAN)、Bluetooth（登録商標）、及びジグビー(Zigbee（登録商標）)等のような非3GPPシステムを含んでもよい。
【００１７】
RAN側で展開される前記制御サーバは、まず、前記第1設定条件に基づいて、前記端末と、前記マルチモード無線通信システムにおけるいずれか1つの通信システムとの間に基本リンクを確立してもよい。前記第1設定条件は、以下の情報のいずれか1つ又は組み合わせを含んでもよく、その情報とは、前記マルチモード無線通信システムにおける各通信システムの連続的なカバレッジ性能、各通信システムの負荷状態、前記端末のサービス処理能力、及びオペレータポリシーである。つまり、前記制御サーバは、前述の情報に基づいて、まず、マルチモード無線通信システムにおける最適な無線通信システムを選択してもよく、前記端末と、前記無線通信システムとの間の基本リンクを確立してもよい。
【００１８】
前記制御サーバは、前記端末のサービスの伝送における実際の要件に基づいて、前記第1設定条件におけるいずれの要素が、基本リンクを選択するための基礎となるかを決定してもよい。
【００１９】
特に、前記マルチモード無線通信システムにおける各通信システムの連続的なカバレッジ性能は、シームレスかつ連続的なカバレッジを提供する無線通信システムの機能に言及している。好適には、前記制御サーバは、前記基本リンクを確立するために、より高いカバレッジ性能を有する無線通信システムを選択してもよい。例えば、ユニバーサル移動体通信システム(Universal Mobile Telecommunications System, UMTS)及びLTEによって構成されたデュアルモード無線通信システムでは、前記制御サーバは、より高いカバレッジ性能を有するUMTSを選択してもよく、一方で、UMTS、LTE、及びWLAN等によって構成されるマルチモード無線通信システムでは、前記制御サーバは、ハンドオーバーをサポートせず、かつ低カバレッジ性能を有するWLAN等よりもむしろ、UMTS又はLTEを選択してもよい。
【００２０】
基本リンクは、前記制御サーバによって端末に送信された制御情報を搬送する制御リンクとして使用される必要があるので、前記基本リンクは、前記端末のサービスの伝送の間、アクティブ状態を保つ必要があり、その結果、一定量のオーバーヘッドが前記無線通信システムに追加される。従って、前記基本リンクを選択するとき、前記制御サーバは、前記基本リンク上に利用可能な無線リソースが存在することを保証するために、無線通信システムの負荷状態を考慮に入れる必要がある。さらに、各通信システムの前記負荷状態は、端末情報と、現在のサービスエリア内のユーザの他の情報をさらに含む。各通信システムの前記負荷状態は、各通信システムによって通知されてもよく、又は、クエリにより制御サーバによって取得されてもよい。
【００２１】
前記端末のサービス処理能力は、特に、前記端末がマルチモード無線通信システムにおいて各通信システムをサポートするか否かと、前記端末によるサービスデータを受信又は送信するレートについての情報と、前記端末のハードウェア構成等とを含んでもよい。サブスクリプションの間、前記端末のサービス処理能力は、サブスクリプションデータを記憶しているネットワーク側デバイスに通知されてもよく、かつ、前記制御サーバは、前記ネットワーク側デバイスにおける端末のサービス処理能力を問い合わせてもよい。その代わりに、前記端末は、前記制御サーバに、サービス処理能力についての情報を通知してもよい。
【００２２】
前記オペレータポリシーは、実際のサービス要件に基づいて、前記マルチモード無線通信システムにおいて、各通信システムのオペレータによって特定されるポリシーであってもよい。例えば、低付加価値サービスが、WIFIによって伝送されてもよく、音声通話やテレビ電話サービスが、3Gネットワークを介して伝送される等してもよい。
【００２３】
前記制御サーバは、前記端末と、前記マルチモード無線通信システムにおけるいずれか1つの無線通信システムとの間の基本リンクを確立するために、実際の要件に基づいて、前記第1設定条件として、各通信システムのリンク品質のような他の情報をさらに使用してもよい。
【００２４】
留意すべきは、実際のシナリオにおいて、もし、ネットワーク側によってサービスが開始された場合、ネットワーク側に展開された制御サーバは、前記第1設定条件に基づいて、各マルチモード無線通信システムにおける通信システムを直接的に選択し、かつ、選択された通信システムと端末との間の基本リンクを確立してもよいことである。
【００２５】
別の実装シナリオにおいて、もし前記端末によってサービスが開始された場合、まず、ネットワーク側にサービスを開始するために、前記端末は初期リンクを確立してもよく、前記初期リンクは、前記端末と前記マルチモード無線通信システムとの間のデフォルトのリンク(デフォルトのリンクは、特定の無線通信システムのリンクであってもよく、かつ、前記端末とネットワーク側によって事前に合意され、かつ、端末がサービスを開始するときに、初期リンクとして使用される)であってもよく、又は、最新のサービス伝送のときに前記端末と、マルチモード無線システムとの間に確立された基本リンクであってもよい。前記端末は、初期リンクを使用することによって、前記制御サーバに、端末のサービス処理能力についての情報を通知してもよい。前記制御サーバは、前記第1設定条件に基づいて基本リンクを選択してもよく、ついで、前記選択された基本リンクと初期リンクとが、同一の無線通信システムのリンクであるか否かを判定してもよい。もし、“はい”の場合、前記制御サーバは、前記基本リンクとして初期リンクを使用してもよく、かつ、このリンクを使用することによって、端末に、制御情報を送信してもよく、その結果、端末のサービスの伝送を制御することができる。もし、“いいえ”の場合、前記制御サーバは、初期リンクから基本リンクにハンドオーバーを開始してもよい。
【００２６】
前記端末と、前記マルチモード無線通信システムにおけるいずれか1つの無線通信システムとの間の基本リンクを確立する処理は、従来技術に基づいて実行されてもよく、かつ、特に、パケットデータプロトコル(Packet Data Protocol, PDP)接続、及び、無線リソース制御(Radio Resource Control, RRC)接続を含んでもよい。
【００２７】
前記端末と前記マルチモード無線通信システムにおけるいずれか1つの無線通信システムとの間に基本リンクが確立された後、前記制御サーバは、前記第2設定条件に基づいて、全てのサービス通信システムにおける、どのサービス通信システムが、前記端末の各サービスを伝送するために使用されるのかを決定してもよい。本発明のこの実施形態において言及された前記サービス通信システムは、端末サービスを搬送するための通信システムである。前記サービス通信システムは、前記基本リンクに対応する通信システム、又は、別の通信システムであってもよい。前記サービス通信システムは、通信システムを含んでもよく、又は、様々な通信システムを含んでもよい。
【００２８】
同様に、前記制御サーバは、前記端末のサービスの伝送における実際の要件に基づいて、前記第2設定条件におけるいずれの要素が、サービス通信システムを選択するための基礎となるかを決定してもよい。前記第2設定条件は、以下の情報のいずれか1つ又は組み合わせを含んでもよく、その情報は、前記端末のサービス要件と、前記マルチモード無線通信システムにおける各通信システムの負荷状態と、各通信システムのリンク品質と、オペレータポリシーと、ユーザポリシーとである。
【００２９】
前記端末のサービス要件は、特に、ハイパーテキストトランスポートプロトコル(Hypertext Transport Protocol, HTTP)、ファイル転送プロトコル(File Transfer Protocol, FTP)、及びストリーミング等を含むことができるサービスタイプのようなサービス属性と、特に、遅延、ビットエラーレート、及びビットレート等を含むことができるサービスの品質(Quality Of Service, QOS)の要件とを含んでもよい。例えば、モバイル端末のビデオ通話は、3GPP 通信システムで伝送される必要があり、かつ、前記端末のビデオファイルは、WiFi通信モードで伝送される必要がある。
【００３０】
各通信システムのリンク品質が検出され、かつ、端末によって前記制御サーバに通知されてもよい。例えば、前記端末は、各通信システムのパイロット信号を受信し、前記パイロット信号の強度に基づいて、各通信システムのリンク品質を決定してもよい。前記端末は、他の従来の方式で各通信システムのリンク品質を測定してもよく、かつ、この実施形態は、網羅的な方法でこれらの従来の方法をリストすることを意図していない。前記端末は、前記検出された各通信システムのリンク品質を、前記基本リンクの制御サーバに通知してもよい。あるいは、LTEにおける基地局、又は、WiFiにおけるアクセスポイントのような各通信システムのネットワークデバイスが、各通信システムのリンク品質を測定し、かつ、前記制御サーバにリンク品質を通知してもよい。実際の要件に基づいて、前記制御サーバは、さらに、前記端末の各サービスに対するサービス通信システムを決定するために、前記第2設定条件として他の情報をさらに使用してもよい。
【００３１】
前記ユーザポリシーは、低付加価値サービスのために、WIFI又はLTE等を優先的に選択することを含んでもよい。前記端末は、前記基本リンクを使用することによって、端末のサービス要件と、前記ユーザポリシーとを、制御サーバに通知してもよい。
【００３２】
前記オペレータポリシーは、例えば、WLAN及び3Gによって形成されるマルチモード無線通信システムにおいては、大きなデータサイズと低いQoS要件を有するサービスが前記WLANによって搬送されてもよいこと、及び、GSM（登録商標）及びLTEによって形成されるマルチモード無線通信システムにおいては、大きなデータ量を有するサービスがLTEによって搬送されてもよいこと、及び、音声サービスがGSM（登録商標）又はUMTSによって搬送されてもよいことであってもよい。
【００３３】
前記制御サーバは、前記端末と前記マルチモード無線通信システムとの間に確立された前記基本リンク上の前記端末に、制御情報を送信してもよく、前記制御情報は、前記端末の各サービスを搬送するためのサービス通信システムを示すために使用される。前記制御サーバによって送信された前記制御情報を受信した後に、前記端末は、それに応じて、各サービスに対して前記制御サーバによって選択された前記サービス通信システムに基づいて、リンクを確立又は解放してもよい。
【００３４】
留意すべきは、前記端末と前記マルチモード無線通信システムとの間に確立された前記基本リンクは、前記端末の各サービスの伝送中に可能な限り接続状態を保つということである。このように、前記制御サーバは、前記基本リンク上の前記端末に制御情報を送信することができ、又は、前記端末は、前記基本リンクを使用することによって、例えば、端末のサービス処理能力、ユーザポリシー、及び前記端末によって測定された各通信システムのリンク品質のような情報を、前記制御サーバに通知することができ、その結果、前記制御サーバは、前記情報に基づいて、前記端末に対して、サービス通信システムを選択することができる。つまり、本発明のこの実施形態に基づいて、前記マルチモード無線通信システムにおいて、前記制御サーバは、制御情報を、前記端末と前記マルチモード無線通信システムとの間に確立された前記基本リンク上の前記端末に送信し、その結果、RAN側の制御サーバは、様々な無線通信システムを使用することによって、サービス伝送を実行するために、前記端末を制御することができる。
【００３５】
随意で、前記制御サーバと前記端末との間の基本リンクにおける接続は、特別なデータサービス(高優先度サービスのような)として、データ無線ベアラ(Data Radio Bearer, DRB)上で搬送されてもよく、又は、シグナリングのタイプとして、信号無線ベアラ(Signaling Radio Bearer, SRB)上で搬送されてもよく、又は、特別サービスとして、特定の物理チャネル上で伝送されてもよい。
【００３６】
本発明のこの実施形態に基づいて、マルチモード無線通信システムを制御するための方法において、無線アクセスネットワーク側で展開される制御サーバは、まず、端末と通信システムとの間に基本リンクを確立し、ついで、前記基本リンク上の前記端末に制御情報を送信し、その結果、各サービスに対して前記制御サーバによって選択されたサービス通信システムに基づいて、対応するリンクを確立する又は解放するために、前記端末を制御し、それによって、無線リソースの利用率とマルチモード無線通信環境におけるユーザ体験とを改善する。
【００３７】
図2は、本発明に基づく、マルチモード無線通信システムを制御するための方法の別の実施形態を説明するフローチャートである。図2に示されるように、前記方法は、
【００３８】
S201. 端末は、基本リンク上で、制御サーバによって送信された制御情報を受信し、前記制御情報は、前記端末の各サービスの伝送のためのサービス通信システムを示すために使用され、前記基本リンクは、前記端末とマルチモード無線通信システムにおけるいずれか1つの通信システムとの間に確立され、かつ、前記端末の各サービスの伝送のための前記サービス通信システムは、前記制御サーバによって、前記マルチモード無線通信システムから選択される。
【００３９】
S202. 前記端末は、前記制御情報に示される前記サービス通信システムに基づいて、各サービスに対応するリンクを確立し、かつ/又は、解放する。
【００４０】
前述のステップは、前記端末によって実行され、前記端末は、例えば携帯電話、データカード、又はPADのようなユーザ装置であってよい。クライアント(MI RADIO Client)は、RAN側の前記制御サーバと情報のやりとりをするために、前記端末に設定されてよい。
【００４１】
実現可能な実施形態において、もし、前記端末とネットワーク側との間のサービスが、前記ネットワーク側によって開始される場合、ネットワーク側の制御サーバは、第1設定条件に基づいて、前記マルチモード無線通信システムにおける通信システムを直接的に選択し、かつ、前記端末と前記通信システムとの間の基本リンクを確立してもよい。前記第1設定条件は、以下の情報のいずれか1つ又は組み合わせを含んでよく、その情報とは、前記マルチモード無線通信システムにおける各通信システムの連続的なカバレッジ性能と、各通信システムの負荷状態と、前記端末のサービス処理能力と、オペレータポリシーとである、つまり、前記制御サーバは、まず、前述の情報に基づいて、基本リンクとして前記端末と前記マルチモード無線通信システムとの間の最適なリンクを選択してもよい。
【００４２】
別の実現可能な実施形態において、もし、前記端末と前記ネットワーク側との間のサービスが、前記端末によって開始される場合、前記端末は、ネットワーク側への前記サービスを開始するために、まず初期リンクを確立し、前記初期リンクは、前記端末と前記マルチモード無線通信システムとの間のデフォルトのリンクであってよく、又は、最新のサービス伝送のときに、前記端末と前記マルチモード無線システムとの間に確立された基本リンクであってよい。前記端末は、前記初期リンクを使用することによって、制御サーバに、前記端末のサービス処理能力についての情報を通知してもよい。前記制御サーバは、前記第1設定条件に基づいて、基本リンクを選択してもよく、ついで、前記選択された基本リンクと前記初期リンクが、同一の無線通信システムのリンクであるか否かを判定してもよい。もし、同一の無線通信システムのリンクである場合、前記制御サーバは、基本リンクとして初期リンクを使用し、かつ、前記端末のサービスの伝送を制御するために、このリンクを使用することによって、前記端末に制御情報を送信してもよい。さらに、同一の無線通信システムのリンクでない場合、前記制御サーバは、前記初期リンクから前記基本リンクへハンドオーバーを開始してもよい。
【００４３】
前記基本リンクが、前記端末と前記マルチモード無線通信システムとの間に確立された後、前記制御サーバは、第2設定条件に基づいて、前記端末の各サービスの伝送のためのサービス通信システムとして、前記マルチモード無線通信システムから通信システムを選択してもよい。前記第2設定条件は、以下の情報のいずれか1つ又は組み合わせを含んでもよく、その情報とは、前記端末のサービス要件と、前記マルチモード無線通信システムにおける各通信システムの負荷状態と、各通信システムのリンク品質と、オペレータポリシーと、ユーザポリシーとである。実際の要件に基づいて、前記制御サーバは、さらに、前記端末の各サービスの伝送のためのサービス通信システムとして前記マルチモード無線通信システムから通信システムを選択するために、前記第2設定条件として他の情報を使用してもよい。
【００４４】
前記制御サーバは、前記端末と前記マルチモード無線通信システムとの間に確立された前記基本リンク上の前記端末に、制御情報を送信してもよく、前記制御情報は、前記端末の各サービスの伝送のためのサービス通信システムを示すために使用される。
【００４５】
前記基本リンク上で前記制御サーバから前記制御情報を受信した後、前記端末は、それに応じて、各サービスの伝送に対して前記制御サーバによって選択された前記サービス通信システムに基づいて、リンクを確立し、又は解放してもよい。
【００４６】
本発明のこの実施形態において提供されたマルチモード無線通信システムを制御するための方法において、無線アクセスネットワーク側で展開される制御サーバは、端末と前記RAN側の間の基本リンク上で端末に制御情報を送信し、かつ、前記端末は、前記制御サーバによって送信された前記制御情報に示される各サービスのサービス送信システムに基づいて、対応するリンクを確立し、又は解放し、それによって、無線リソースの利用率とマルチモード無線通信環境におけるユーザ体験とを改善する。
【００４７】
前述の実施形態は、RAN側の制御サーバ及び端末のそれぞれの視点から、本発明に基づくマルチモード無線通信システムを制御するための方法を説明した。以下に、マルチモード無線通信システムを制御するための方法における、基本リンクを確立し、かつ前記基本リンクを更新するための実施形態を提供する。図3A、図3B、及び図3Cに示されるように、基本リンクを確立し、かつ更新するための手順は、以下のステップを含む。そのステップとは、
【００４８】
図3A、図3B、及び図3Cに示される実施形態において、端末は、多重無線通信モジュールを含み、かつ、各無線通信モジュールは、RAN側の対応する無線通信モジュール(ネットワークデバイスであってもよい)介して、前記マルチモード無線通信システムにおける通信システムへの接続を確立するように構成されてもよい。説明を簡単にするために、この実施形態において、前記端末の各無線通信モジュールと、RAN側の対応する無線通信モジュールとは、同一の識別子を有する。例えば、両者とも無線通信モジュール1であるか、又は無線通信モジュール2である等である。
【００４９】
S301. 第1設定条件に基づいて、ネットワーク側に展開された制御サーバは、マルチモード無線通信システムにおける無線通信システムを選択し、かつ、端末と、前記無線通信システムとの間に基本リンクを確立する。
【００５０】
基本リンクは、前記端末における無線通信モジュール 1と、前記RAN側の無線通信モジュール 1との間に確立され、前記基本リンクは、初期の基本リンクである。
【００５１】
前記第1設定条件は、前記マルチモード無線通信システムにおける各通信システムの連続的なカバレッジ性能と、各通信システムの負荷状態と、前記端末のサービス処理能力と、オペレータポリシーとを含んでもよい。
【００５２】
前記第1設定条件に含まれる情報の全種類について、前述の実施形態の関連する説明が参照されてもよく、その詳細はここで再度説明しない。
【００５３】
留意すべきは、もし前記端末と、前記マルチモード無線通信システムとの間のサービスが、ネットワーク側によって開始される場合、前記ネットワーク側の前記制御サーバは、前記第1設定条件に基づいて、端末と、マルチモード無線通信システムにおけるいずれか1つの通信システムとの間の基本リンクを直接的に確立してもよいということである。または、もし前記端末と、前記ネットワーク側との間のサービスが、前記端末によって開始される場合、前記端末は、まず、初期リンクを、前記マルチモード無線通信システムに確立してもよいことに留意すべきであり、前記初期リンクは、前記端末と前記マルチモード無線通信システムとの間のデフォルトのリンクであってよく、又は、最新のサービス伝送のときに前記端末と前記マルチモード無線システムとの間に確立された基本リンクであってもよい。前記端末は、前記初期リンクを使用することによって、前記制御サーバに、前記端末のサービス処理能力についての情報を通知してもよい。前記制御サーバは、前記第1設定条件に基づいて、基本リンクを選択してもよく、ついで、前記選択された基本リンクと、初期リンクとが同一の無線通信システムのリンクであるか否かを判定する。もし、同一の無線通信システムのリンクである場合、前記制御サーバは、基本リンクとして初期リンクを使用し、かつ、前記端末のサービスの伝送を制御するために、このリンクを使用することによって前記端末に制御情報を送信してもよい。もし、同一の無線通信システムのリンクでない場合、前記制御サーバは、前記初期リンクから前記基本リンクへハンドオーバーを開始してもよい。
【００５４】
S302. 前記制御サーバは、新たな基本リンクの選択をトリガするか否かを判定する。もしトリガする場合、S303が実行される。そうでない場合、手順は終了し、又は、前記制御サーバはさらに、時間間隔の後に再びS302を実行してもよい
【００５５】
前記基本リンクが、前記端末と前記マルチモード無線通信システムとの間に確立された後、前記端末は、リアルタイムに前記基本リンクを検出してもよく、かつ、前記制御サーバに前記基本リンクの検出されたリンク品質を通知してもよい。前記端末は、前記基本リンクを使用することによって、前記制御サーバに、前記基本リンクのリンク品質を通知してもよく、又は、前記基本リンクに対応するネットワークデバイスは、前記制御サーバに、前記基本リンクのリンク品質を通知してもよい。
【００５６】
前記制御サーバは、前記端末のサービスの伝送における実際の要件に基づいて、前記第1設定条件におけるいずれの要素が、基本リンクを選択するための基礎となるかを決定してもよい。もし、前記基本リンクのリンク品質が、前記第1設定条件を満たさない場合、前記制御サーバは、前記端末と前記マルチモード無線通信システムにおけるいずれか1つの通信システムとの間に、新たな基本リンクの確立をトリガしてもよい。前記設定条件は、実際の伝送状態に基づいて、前記制御サーバによって決定されてもよい。
【００５７】
S303. 新たな基本リンクの選択がトリガされた後、前記制御サーバは、前記基本リンクに対応する通信システムよりも、前記マルチモード無線通信システムにおける少なくとも1つの他の通信システムの現在の信号品質の測定を開始するか否かを判定してもよい。前記測定が開始されない場合は、手順はS307にスキップし、前記測定が開始される場合は、手順はS304に続く。
【００５８】
特に、もし前記端末とサービス通信システムとの間のリンクが確立され、かつ、新たな基本リンクの選択が、端末のサービスの伝送中にトリガされる必要がある場合は、前記制御サーバは、最初の基本リンク以外の非基本リンクを、基本リンクとして使用するか否かを判定してもよい。特に、前記端末は、まず、前記サービス通信システムにおけるリンクが、非基本リンクから、候補基本リンクとして選択されてもよいか否かを判定してもよい。もし、「はい」である場合、前記制御サーバは、前記基本リンクに対応する通信システムよりも、前記マルチモード無線通信システムにおける少なくとも1つの他の通信システムの現在の信号品質の測定をトリガしなくてもよく、もし、前記サービス通信システムにおけるリンクが基本リンクとして使用されることができないとき、前記制御サーバは、前記基本リンクに対応する前記通信システムよりも、前記マルチモード無線通信システムにおける少なくとも1つの他の通信システムの現在の信号品質の測定をトリガしてもよい。
【００５９】
留意すべきは、もし前記制御サーバが、新たな基本リンクとして、前記端末と前記サービス通信システムとの間のリンクを使用する場合、前記端末と前記マルチモード無線通信システムとの間の前記新たな基本リンクが、初期の基本リンクを確立する方法と類似する方法で、前記第1設定条件に基づいて確立されてもよい。
【００６０】
S304. 前記制御サーバは、前記端末に第1測定指示を搬送し、前記第1測定指示は、前記基本リンクに対応している前記通信システムよりも、前記マルチモード無線通信システムにおける少なくとも1つの他の通信システムの現在の信号品質を測定するための指示として使用されてもよい
【００６１】
実現可能な実施形態において、前記第1測定指示は、前記現在のサービス通信システムに関連し、かつ前記制御サーバによって特定される1又は2以上の他のセルのセル情報を有してもよい。前記セル情報は、例えばセルID又は周波数チャネル番号のような情報であってよい。前記端末は、前記セル情報に基づいて、対応するセルの信号品質を測定してもよい。前記現在のサービス通信システムに関連する1又は2以上の他のセルは、現在のサービス通信システムにおける端末サービスを伝送するための1又は2以上のセルであってよい。
【００６２】
S305. 前記端末は、前記基本リンクに対応している前記通信システムよりも、前記マルチモード無線通信システムにおける少なくとも1つの他の通信システムの現在の信号品質を測定する。
【００６３】
S304に応じて、前記端末は、前記現在のサービス通信システムと連携する1又は2以上の他のセルのセル情報に基づいて、1又は2以上の対応するセルの信号品質を測定してもよく、前記セル情報は、前記第1測定指示に前記制御サーバによって追加される。
【００６４】
S306. 前記端末は、前記基本リンクに対応している前記通信システムよりも、前記マルチモード無線通信システムにおける少なくとも1つの他の通信システムの前記現在の信号品質を、前記制御サーバに通知する。
【００６５】
S307. 前記制御サーバは、前記第1設定条件に基づいて、前記端末と前記マルチモード無線通信システムにおけるいずれか1つの通信システムとの間に新たな基本リンクを確立する。
【００６６】
S307において新たに確立された前記基本リンクは、新たな基本リンクと呼ばれる。図3A、図3B、及び図3Cに示されるように、前記新たな基本リンクは、前記端末における無線通信モジュール 2と、前記RAN側の無線通信モジュール 2とによって確立される。
【００６７】
S308. 前記端末は、前記制御サーバに、前記新たな基本リンクを確立した結果を通知する。
【００６８】
前記端末は、例えば、前記新たな基本リンクの確立の成功についての情報及び前記端末のIPアドレス情報のような情報を、前記制御サーバに通知してもよい。
【００６９】
S309. 前記端末は、前記端末と前記マルチモード無線通信システムとの間の前記初期の基本リンクを解放する。
【００７０】
前記端末の前記無線通信モジュール 1及び前記RAN側の無線通信モジュール 1は、前記初期の基本リンクを解放する動作を実行する。
【００７１】
さらに、本発明が提供する一実施形態では、制御サーバは、基本リンク上で、前記基本リンクが確立された後にサービス伝送を実行するために、様々な通信システムを使用するように端末を制御する。図4A、図4B、及び図4Cに示されるように、前記方法は、以下のステップを含む。そのステップは、
【００７２】
S401. 前記制御サーバは、第3設定条件に基づいて、前記端末に対して新たなサービス通信システムを選択するか否かを判定し、前記第3設定条件は、以下の情報のいずれか1つ又は組み合わせを含み、前記情報は、前記端末のトラフィック量と、マルチモード無線通信システムにおける各通信システムの負荷状態と、オペレータポリシーと、ユーザポリシーとである。もし前記端末に対して新たなサービス通信システムを決定すると判定される場合、S402が実行され、そうでない場合、S401が再び実行される。
【００７３】
例えば、前記端末のトラフィック量が一定限度を超える又は前記サービス通信システムがオーバーロードするとき、又は、前記端末のサービスの1又は2以上のタイプが、他の通信システムにおいて送信されることにより適しているとき、前記制御サーバは、前記マルチモード無線通信システムの管理を開始し、かつ、前記端末の様々なサービスの伝送に対して、新たなサービス通信システムを決定してもよい。前記制御サーバは、前記端末のサービスの伝送に対して、サービス通信システムを追加してもよく、その結果、前記サービスは、少なくとも2つのサービス通信システムに伝送され、又は、前記制御サーバは、前記端末の特定のサービスを伝送するためのサービス通信システムを除外してもよい。
【００７４】
S402. もし、前記現在のサービス通信システムと関連する1又は2以上の他の通信システムが存在する場合、前記制御サーバは、前記端末に、前記現在のサービス通信システム及び前記基本リンクに対応する前記通信システムよりも、前記マルチモード無線通信システムにおける少なくとも1つの他の通信システムの信号品質を測定するように指示する。
【００７５】
前記現在のサービス通信システムと関連する通信システムは、現在のサービス通信システムに端末サービスを伝送するために使用されることができる通信システムであってよい。例えば、GSM（登録商標）ネットワーク及びWLANによって構成されるマルチモード無線通信システムにおいて、現在のGSM（登録商標）ネットワークが、関連するWLANアクセスポイント(Access Point, AP)を有するか否かと、UMTS及びLTEブースティング(boosting)モードにおいて、UMTSネットワークが関連するLTEを有しているか否かとを判定することが必要である。もし、前記現在のサービス通信システムに関連する1又は2以上の他の通信システムが存在する場合、前記端末は、前記現在のサービス通信システム及び前記基本リンクに対応する前記通信システムよりも、前記マルチモード無線通信システムにおける少なくとも1つの他の通信システムの信号品質を測定するように指示されてもよい。
【００７６】
S403. 前記制御サーバは、前記端末に、第2測定指示を送信する。前記第2測定指示は、前記現在のサービス通信システム及び前記基本リンクに対応する通信システムよりも、前記マルチモード無線通信システムにおける少なくとも1つの他の通信システムの信号品質を測定するための指示として使用される。
【００７７】
S404. 前記第2測定指示に基づいて、前記端末は、前記現在のサービス通信システム及び前記基本リンクに対応する前記通信システムよりも、前記マルチモード無線通信システムにおける少なくとも1つの他の通信システムの信号品質を測定する。
【００７８】
S405. 前記端末は、前記制御サーバに、前記現在のサービス通信システム及び前記基本リンクに対応する前記通信システムよりも、前記マルチモード無線通信システムにおける少なくとも1つの他の通信システムの信号品質を通知する。
【００７９】
S406. 前記制御サーバは、第2設定条件に基づいて、前記端末の各サービスの伝送のためのサービス通信システムとして、前記マルチモード無線通信システムから通信システムを選択する。
【００８０】
前記第2設定条件が、以下の情報のいずれか1つ又は組み合わせを含んでもよく、その情報は、前記端末のサービス要件と、前記マルチモード無線通信システムにおける各通信システムの負荷状態と、各通信システムのリンク品質と、オペレータポリシーと、ユーザポリシーとである。
【００８１】
S407. 前記制御サーバは、前記基本リンク上の前記端末に制御情報を送信し、前記制御情報は、前記端末の各サービスの伝送のための前記サービス通信システムを示すために使用される。
【００８２】
S408. 前記端末は、前記制御情報に示される前記サービス通信システムに基づいて、少なくとも1つの無線通信モジュールにおいて、クローズ、スタート、又はスリープ制御を実行する。
【００８３】
留意すべきは、図4A、図4B、及び図4Cに示されるように、前記端末は一般的に、多重無線通信モジュールを備え、かつ、各無線通信モジュールは、RAN側の対応する無線通信モジュール(ネットワークデバイスであってよい)を介して、前記マルチモード無線通信システムにおける通信システムへの接続を確立するように構成されてもよい。説明を簡単にするために、この実施形態において、前記端末の各無線通信モジュールと、前記RAN側の対応する無線通信モジュールは、同一の識別子を有する。例えば、両者は、無線通信モジュール 1又は無線通信モジュール 2等である。基本リンクは、前記端末における無線通信モジュール 1と、RAN側の無線通信モジュール 1との間に確立される。
【００８４】
前記基本リンク上で前記制御サーバによって送信された前記制御情報を受信した後に、前記端末は、前記制御情報に示されるサービス無線通信システムに基づいて、どの無線通信モジュール又はモジュールが使用される必要があるのかと、現在のところどの無線通信モジュール又はモジュールが使用される必要がないのかとを決定してもよい。前記RAN側の対応する無線通信モジュールに接続される必要がある無線通信モジュールに対して、前記端末は、無線通信モジュールを開始してもよく、その結果、対応する無線通信システムへのリンクを確立することができる。現在使用される必要がない無線通信モジュールに対して、前記端末は、前記モジュールをクローズし、又は、スリープ状態に入るために前記モジュールを制御してもよく、それによって、前記端末の電力消費及びオーバーヘッドを減少させることができる。例えば、図4A、図4B、及び図4Cに示されるように、前記制御情報を受信した後、前記端末は、無線通信モジュール 2を開始し、無線通信モジュール 3をスリープ状態に切り換え、かつ無線通信モジュール 1をクローズする。
【００８５】
実現可能な実施形態において、前記端末のサービス使用要求と、前記サービス通信システムに対応する無線通信モジュールのような要素とに基づいて、前記端末は、どの無線通信モジュール又はモジュールがクローズされるべきか、又は、どの無線通信モジュール又はモジュールがスリープ状態に入るのかを決定してもよく、かつ、無線通信モジュール又はモジュールがスリープ状態を保つ継続時間を決定してもよい。例えば、もし前記サービス通信システムが、WIFI接続を提供しない場合、前記端末は、WIFIモードに対応する無線通信モジュールをクローズしてよく、又は、前記無線通信モジュールをスリープ状態に切り換える。スリープ継続時間は、例えば30分に設定されてよい。30分が経過した後、前記無線通信モジュールは、再び開始されてよく、又は、30分が経過した後、もし前記制御サーバによって送信された前記制御情報に示される前記サービス通信システムが、未だにWIFI接続を提供しない場合、前記端末は、WIFIモードに対応する無線通信モジュールをクローズしてもよい。前記端末は、特定の実装シナリオに基づいて、各無線通信モジュールのスタート、クローズ、又はスリープを決定してもよい。
【００８６】
別の実現可能な実施形態において、前記制御サーバは、例えば、前記端末の現在の負荷状態、サービス属性、及びユーザ優先度のような要素に基づいて、無線通信モジュールに対するクローズ、スリープ、又はスタート動作を実行するよう指示してもよい。さらに、前記制御サーバは、前記端末に、例えば無線通信モジュールのスリープ継続時間を指示してもよく、かつ、前記端末は、前記制御サーバの前記指示に基づいて、対応する無線通信モジュールのスタート、スリープ、又はクローズを制御してもよい。
【００８７】
S409. 前記端末は、前記制御情報に示される前記サービス通信システムに基づいて、各サービスに対応するリンクを確立し、かつ/又は解放する。
【００８８】
S410からS412は、任意のステップである。もし、前記端末のいずれかのダウンリンクサービスが、少なくとも2つのサービス通信システムに伝送される場合、前記制御サーバは、前記サービス通信システムの現在のリンク品質を測定するために、前記端末、又は前記サービス通信システムに対応するネットワークデバイスをトリガしてもよく、かつ、前記制御サーバは、前記端末によって通知された前記サービス通信システムの現在のリンク品質に基づいて、少なくとも2つのサービス通信システムの中の伝送された端末のダウンリンクサービスデータのパーセンテージを決定してもよい。詳細を以下に示す。
【００８９】
S410. 前記制御サーバは、前記端末に、第3測定指示を送信し、前記第3測定指示は、前記サービス通信システムの現在のリンク品質を測定するための指示として使用される。
【００９０】
別の実現可能な実施形態において、前記サービス通信システムの現在のリンク品質を通知するように、ネットワークデバイスに指示するために、前記制御サーバはさらに、前記第3測定指示を、現在のサービス通信システムにおけるネットワークデバイスに送信してもよい。
【００９１】
S411. 前記端末は、前記サービス通信システムのリンク品質を測定する。
【００９２】
S412. 前記端末は、前記制御サーバに、前記サービス通信システムのリンク品質を通知する。
【００９３】
S413. 前記制御サーバは、前記少なくとも2つのサービス通信システムの負荷状態及び/又はリンク品質に基づいて、前記少なくとも2つのサービス通信システムの中で伝送される前記端末のダウンリンクサービスデータのパーセンテージを決定する。
【００９４】
S414. 前記制御サーバは、前記基本リンク上の前記端末に第1オフロード情報を送信し、前記第1オフロード情報は、前記少なくとも2つのサービス通信システムの中で伝送された前記端末のダウンリンクサービスデータの前記パーセンテージを示すために使用される。
【００９５】
S415. 前記端末は、前記少なくとも2つのサービス通信システムの特徴情報に基づいて、前記少なくとも2つのサービス通信システムにおいて、いずれか1つのダウンリンクサービスを受信する順番を決定する。
【００９６】
S416. 前記端末は、前記制御サーバに、前記サービス伝送管理の結果を通知する。
【００９７】
留意すべきは、S413からS415は任意のステップであるということである。特に、実現可能な実施形態において、S415における前記サービス通信システムの特徴情報は、例えば遅延及びビット誤り率のような情報を含んでもよい。前記端末は、前記サービス通信システムの例えば遅延及びビット誤り率のような前記情報に基づいて、少なくとも2つのサービス通信システムにおけるダウンリンクサービスを受信する順番を決定してもよい。この実装シナリオにおいて、S413からS415は、実行されなくてもよく、かつ、それに応じて、S410からS412が実行されなくてもよい。
【００９８】
別の実現可能な実施形態において、S413からS415が実行されてもよく、それに応じて、S410からS412が実行されてもよい。つまり、前記制御サーバは、前記端末に第1オフロード情報を送信してもよく、かつ、前記端末は、前記第1オフロード情報と、前記サービス通信システムの例えば遅延及びビット誤り率のような前記情報とに基づいて、少なくとも2つのサービス通信システムにおけるダウンリンクサービスを受信する順番を決定してもよい。この実装シナリオにおいて、S415における前記サービス通信システムの特徴情報は、前記第1オフロード情報と、前記サービス通信システムの例えば遅延及びビット誤り率のような前記情報とを含んでもよい。
【００９９】
S410からS416は、前記端末が、少なくとも2つのサービス通信システムにおいて同時に伝送されるダウンリンクサービスを有する実装シナリオに適応させることができる。この実装シナリオにおいて、前記制御サーバは、前記少なくとも2つのサービス通信システムの中で伝送された前記端末のダウンリンクサービスデータのパーセンテージを決定してもよく、前記端末に第1オフロード情報を送信してもよい。前記第1オフロード情報を受信した後、前記端末は、前記第1オフロード情報に示されるデータの中のパーセンテージに基づき、かつ、例えば少なくとも2つのサービス通信システムの遅延及びビット誤り率のような特徴情報を参照して、前記少なくとも2つのサービス通信システムにおけるダウンリンクサービスを受信する順番を決定し、かつ、前記受信する順番に基づいて、前記少なくとも2つのサービス通信システムにおけるネットワーク側から、ダウンリンクサービスデータを受信してもよい。
【０１００】
この実施形態がさらに、前記端末が、少なくとも2つのサービス通信システムにおいて同時に伝送されるアップリンクサービスを有する実装シナリオを提供する。この実装シナリオにおいて、前記端末は、前記少なくとも2つのサービス通信システムの中で伝送された前記端末のアップリンクサービスデータのパーセンテージを決定してもよく、かつ前記制御サーバに第2オフロード情報を送信してもよい。前記制御サーバは、前記サービス通信システムの例えば遅延及びビット誤り率のような情報に基づいて、前記少なくとも2つのサービス通信システムにおいてアップリンクサービスを受信する順番を決定してもよい。又は、前記制御サーバは、前記第2オフロード情報に示されるデータの中のパーセンテージと、例えば前記少なくとも2つのサービス通信システムの遅延及びビット誤り率のような特徴情報とに基づいて、前記少なくとも2つのサービス通信システムにおいてアップリンクサービスを受信する順番を決定してもよく、かつ、前記受信の順番に基づいて前記端末からアップリンクサービスデータを受信するために、少なくとも2つのサービス通信システムを制御してもよい。
【０１０１】
随意に、実現可能な実施形態において、前記端末と前記ネットワーク側との間のサービス伝送の処理において、もし前記端末が接続されるいずれか1つのサービス通信システムが、連続的なカバレッジを有しない場合、前記制御サーバは、前記サービス通信システムのカバレッジの外側で、前記基本リンクを使用することによって、前記ネットワーク側へのサービス伝送を実行するために、前記端末を制御してもよく、その結果、前記制御サーバは、前記端末と前記サービス通信システムとの間のリンク(例えばWLAN)が連続的なカバレッジ有しないとき、前記基本リンクを使用することによって、端末サービスをの連続的な伝送を保証することができる。前記端末が、前記サービス通信システムのカバレッジの外側から、前記サービス通信システムのカバレッジの内側(サービス伝送エリア内)に移動するとき、前記制御サーバは、前記基本リンクを使用することによって、前記端末と前記サービス通信システムとの間にリンク(例えばWLAN)を確立してもよく、それによって、前記端末のサービス連続性を保証することができる。
【０１０２】
別の実現可能な実施形態において、もし前記基本リンクが、前記サービス通信システムにおける非基本リンクと連携できない場合(つまり、前記基本リンクに対応するネットワークデバイスが、前記非基本リンクに対応するネットワークデバイスと連携できない場合、例えば、サイトが連携に失敗する場合)、又は、もし、多重非基本リンクが、前記サービス通信システムに存在する場合、前記制御サーバは、前記端末のモバイル通信処理において、前記基本リンクの助けにより、前記非基本リンク上で前記端末のハンドオーバーを実行してもよい。例えば、前記制御サーバは、前記基本リンクを使用することによって、前記端末に前記非基本リンクのセルID及び周波数チャネル番号情報等を送信してもよい。お互いに連携するUMTSとLTEとが、前記端末と、前記端末の現在のサービングセルのカバレッジ内のネットワーク側との間に存在すると仮定すると、前記端末は、UMTSのリンクと、LTEのリンクとを使用することによってサービス伝送を実行する。前記端末が、次のサービングセルのカバレッジ内に入るとき、お互いに連携するUMTSとLTEとが、次のサービングセルの前記カバレッジ内に存在しない場合、前記制御サーバは、次のセルに入るように前記端末を制御することを助けるために、前記基本リンクを使用してもよい。
【０１０３】
図5Aと図5Bは、本発明に基づいて、制御サーバが、基本リンク上で端末を制御し、様々な通信システムを使用し、サービス伝送を実行するための別の実施形態を示している。図5A及び図5Bに示されるように、この実施形態に提供されるマルチモード無線通信システムは、LTE/UMTS及びWLANによって構成されたキャリアアグリケーションネットワークである。この実装シナリオにおいて、前記方法は、特に以下のステップを含む。
【０１０４】
S501. 前記端末のトラフィック量、前記マルチモード無線通信システムにおける各通信システムの負荷状態、オペレータポリシー、及びユーザポリシーの情報の1つ又は組み合わせに基づいて、無線アクセスネットワーク側で展開される前記制御サーバは、前記マルチモード無線通信システムにおける前記端末に対して、新たなサービス通信システムを決定するか否かを判定する。もし、前記端末に対して新たなサービス通信システムが決定すると判定される場合、S502が実行され、そうでない場合、S501が再度実行される。
【０１０５】
基本リンクは、前記端末と前記UMTS/LTEとの間に確立されるリンクである。前記端末の現在のトラフィック量と、前記マルチモード無線通信システムにおける各通信システムの負荷状態と、オペレータポリシーと、ユーザポリシーとに基づいて、前記制御サーバは、前記マルチモード無線通信システムにおける前記端末に対して新たなサービス通信システムを決定するか否かを判定する。例えば、前記端末のトラフィック量が一定限度を超えるか、又は、UMTS/LTEがオーバーヘッドするとき、あるいは、前記端末のサービスが、WLAN 通信システムにおける伝送により適しているとき、前記制御サーバは、前記マルチモード無線通信システムの管理を開始し、かつ、前記端末の様々なサービスの伝送に対するサービス通信システムを決定してもよい。
【０１０６】
S502. もし、現在のサービス通信システムに関連する1又は2以上の他の通信システムが存在する場合、前記制御サーバは、前記現在のサービス通信システム及び前記基本リンクに対応する前記通信システムよりも、前記マルチモード無線通信システムにおける少なくとも1つの他の通信システムの信号品質を測定するように、前記端末に指示する。
【０１０７】
前記制御サーバは、関連するWLANネットワークが、現在のUMTS/LTE モバイル通信ネットワークに存在するか否かをチェックしてもよく、もし存在しない場合、さらなる処理は要求されず、もし存在する場合、S503が実行される。
【０１０８】
S503. 前記制御サーバは、前記端末に、第2測定指示を送信し、前記第2測定指示は、前記現在のサービス通信システム及び前記基本リンクに対応する前記通信システムよりも、前記マルチモード無線通信システムにおける少なくとも1つの他の通信システムの信号品質を測定するための指示として使用される。
【０１０９】
S504. 前記第2測定指示に基づいて、前記端末は、前記現在のサービス通信システム及び前記基本リンクに対応する前記通信システムよりも、前記マルチモード無線通信システムにおける少なくとも1つの他の通信システムの信号品質を測定する。
【０１１０】
S505. 前記端末は、前記現在のサービス通信システム及び前記基本リンクに対応する前記通信システムよりも、前記マルチモード無線通信システムにおける少なくとも1つの他の通信システムの信号品質を、前記制御サーバに通知する。
【０１１１】
S506. 前記制御サーバは、第2設定条件に基づいて、前記端末の各サービスの伝送のためのサービス通信システムとして、前記マルチモード無線通信システムから通信システムを選択する。
【０１１２】
現在の端末のサービス要件、前記マルチモード無線通信システムにおける各通信システムの負荷状態、各通信システムのリンク品質、オペレータポリシー、及びユーザポリシーの情報のいずれか1つ又は組み合わせに基づいて、前記制御サーバは、前記端末に対して、例えば、サービスを伝送するためにWLANを使用することか、又は、サービスを同時に伝送するために、多重通信システムを使用するというような最適なリソース利用方法を決定してもよい。
【０１１３】
留意すべきは、例えばこの実施形態によって説明されているLTE/UMTS通信システム及びWLAN通信システムのような、2つのモードの無線通信システムが、前記端末と前記ネットワーク側との間に存在するとき、前記制御サーバは、一般的に、前記基本リンク上の前記端末に、制御情報を送信してもよく、その結果、WLANに接続するために前記端末を制御することができる。つまり、S507の動作は、S501が実行された後すぐに実行されてもよい。
【０１１４】
S507. 前記制御サーバは、前記基本リンク上の前記端末に制御情報を送信し、前記制御情報は、前記端末の各サービスの伝送のための前記サービス通信システムを示すために使用される。
【０１１５】
前記制御サーバは、前記UMTS/LTEシステムの前記基本リンク上の前記端末に、前記制御情報を送信してもよい。
【０１１６】
S508. 前記端末は、前記制御情報に示される前記サービス通信システムに基づいて、少なくとも1つの無線通信モジュールにおいて、クローズ、スタート、又はスリープ制御を実行する。
【０１１７】
例えば、3Gリンクが、前記端末とRAN側との間の基本リンクとして確立された後、前記制御サーバは、ネットワーク負荷及び端末サービス要件のような要素に基づいて、オフロードのためのWIFIを有効にするか否かを判定してもよく、かつ、3Gリンクを使用して、前記端末に前記制御情報を送信してもよい。
【０１１８】
前記制御情報を受信した後、前記端末は、リンクの確立又は解放の対応する動作を実行してもよい。特に、もし伝送が3Gリンク上でのみ実行されること、又は、現在のセルがWLAN APに結合しないことを、前記制御情報が示す場合、前記端末は、WIFIモジュールをクローズしてもよく、その結果、WIFIが長時間有効であるときの前記端末による電力消費の問題を解決することができる。もし、WIFIがオフロードに対して有効であることを前記制御情報が示す場合、前記端末は、APを検索するために、WIFIモジュールをスタートさせ、かつリンクを確立してもよい。さらに、もしWLANに対するオフロードが一時的に停止されることを前記制御情報が示す場合、前記端末は、WIFIモジュールをスリープ状態に切り換えてもよい。
【０１１９】
この実施形態は、マルチモード通信システムにおける1つのリンクが、制御情報を伝送するために、基本リンクとして選択されるときに適用可能である。このように、前記端末と前記マルチモードシステムにおけるネットワークとの間の多重タイプのリソースは、効率的に利用されてもよく、かつ、多くの効率的な伝送ネットワークと、多くの効率的な伝送手段とが前記端末に対して決定され、ユーザ体験を高めるとともに、マルチモードマルチスタンバイ端末の電力消費を著しく減少させる。
【０１２０】
S509. 前記端末は、前記制御情報に示される前記サービス通信システムに基づいて、各サービスに対応するリンクを確立し、かつ/又は解放する。
【０１２１】
前記制御情報に基づいて、前記端末は、対応するWLAN APを検索するために、WLAN モジュールを起動し、認証及びリンク確立を実行し、かつネットワーク側に応答する。
【０１２２】
実現可能な実施形態において、連続的なWLANカバレッジが存在せず、その結果、WLANがサービス通信システムとして機能する実装シナリオにおいて、前記端末が前記WLANのカバレッジの外側であるとき、前記制御サーバは、UMTS/LTEによってサービス伝送を実行してもよく、かつ前記端末が調整の可能な新たなWLANのカバレッジエリアに入るとき、前記制御サーバは、WLANネットワークリンク確立及びサービス伝送を完了させるために、UMTS/LTEの基本リンクを使用してもよい。
【０１２３】
この実施形態は、マルチモード通信システムの中のあるリンクが制御情報を伝送するための基本リンクとして選択されるときに適用可能であり、例えば、ハンドオーバー、及び、前記マルチモード無線通信システムにおける通信システムモード間の同時伝送のような統一された管理問題を、効果的に解決することができる。
【０１２４】
この実施形態において提供される前記マルチモード無線通信システムは、LTE/UMTS及びWLANによって構成されるキャリアアグリケーションネットワークである。例えばUMTS及びLTEによって構成されるマルチモード無線通信システムのようなマルチモード無線通信システムの他のタイプに対応する端末サービス伝送制御方法に対して、この実施形態が参照されてもよい。
【０１２５】
当業者は、方法の実施形態のステップのすべてまたは一部は、関連するハードウェアに命令するプログラムにより実現され得ることを理解することができる。プログラムは、コンピュータ読み取り可能な記録媒体に格納されてもよい。プログラムを実行すると、方法の実施形態のステップが実行される。前記記録媒体は、例えばROM、RAM、磁気ディスク、又は光学ディスクなどの、プログラムコードを格納できる任意の媒体を含む。
【０１２６】
図6は、本発明に基づく制御サービスの実施形態の概略構造図である。図6に示されるように、前記制御サーバは、プロセッサ 11及びトランシーバ 12を含む。
【０１２７】
前記プロセッサ 11は、第1設定条件に基づいて、端末とマルチモード無線通信システムにおけるいずれか1つの通信システムとの間の基本リンクを確立するように構成され、かつ、第2設定条件に基づいて、前記端末の各サービスの伝送のためのサービス通信システムとして、前記マルチモード無線通信システムから通信システムを選択するように構成される。
【０１２８】
前記トランシーバ 12は、前記基本リンク上の端末に、制御情報を送信するように構成され、前記制御情報は、前記端末の各サービスの伝送のための前記サービス通信システムを示すために使用される。
【０１２９】
前述の実施形態に基づいて、本発明はさらに、前記制御サーバの別の実施形態を提供する。随意に、前記第1設定条件は、以下の情報のいずれか1つ又は組み合わせを含んでもよく、その情報は、前記マルチモード無線通信システムにおける各通信システムの連続的なカバレッジ性能と、各通信システムの負荷状態と、前記端末のサービス処理能力と、オペレータポリシーとである。
【０１３０】
随意に、前記第2設定条件は、以下の情報のいずれか1つ又は組み合わせを含んでもよく、その情報は、前記端末のサービス要件と、前記マルチモード無線通信システムにおける各通信システムの負荷状態と、各通信システムのリンク品質と、オペレータポリシーと、ユーザポリシーとである。
【０１３１】
実現可能な実施形態において、前記プロセッサ12は、前記第1設定条件に基づいて、前記基本リンクとして、前記端末によって確立される初期リンクを使用することを決定し、又は、前記端末によって確立される前記初期リンクから前記基本リンクへハンドオーバーを開始するようにさらに構成されてもよく、前記初期リンクは、前記端末と前記マルチモード無線通信システムとの間のデフォルトのリンク、又は、最新のサービス伝送のときに前記端末と前記マルチモード無線通信システムとの間に確立された基本リンクである。
【０１３２】
さらに、前記トランシーバ 11は、前記端末によって通知された前記基本リンクのリンク品質を受信し、又は、前記基本リンクに対応するネットワークデバイスによって通知された前記基本リンクのリンク品質を受信するようにさらに構成されてもよい。
【０１３３】
それに応じて、前記プロセッサ12は、もし、前記基本リンクの前記リンク品質が設定条件を満たさない場合、前記第1設定条件に基づいて前記端末と前記マルチモード無線通信システムにおけるいずれか1つの通信システムとの間の新たな基本リンクを確立するようにさらに構成されてもよい。
【０１３４】
さらに、前記第1設定条件は、前記基本リンクに対応している前記通信システムよりも、前記マルチモード無線通信システムにおける少なくとも1つの他の通信システムの現在の信号品質をさらに含んでもよい。
【０１３５】
それに応じて、前記トランシーバ11は、前記端末に、第1測定指示を送信するようにさらに構成されてもよく、前記第1測定指示は、前記基本リンクに対応している前記通信システムよりも、前記マルチモード無線通信システムにおける少なくとも1つの他の通信システムの現在の信号品質を測定するための指示として使用されてもよい。さらに前記トランシーバ11は、前記基本リンクに対応している前記通信システムよりも、前記マルチモード無線通信システムにおける少なくとも1つの他の通信システムの前記現在の信号品質を受信するようにさらに構成されてもよく、前記現在の信号品質は、前記端末によって通知される。
【０１３６】
さらに、前記プロセッサ12は、第3設定条件に基づいて、前記端末に対して新たなサービス通信システムを決定するか否かを判定するようにさらに構成されてもよく、前記第3設定条件は、以下の情報のいずれか1つ又は組み合わせを含み、前記情報は、前記端末のトラフィック量と、前記マルチモード無線通信システムにおける各通信システムの負荷状態と、オペレータポリシーと、ユーザポリシーとである。
【０１３７】
さらに、前記第2設定条件は、前記現在のサービス通信システム及び前記基本リンクに対応する前記通信システムよりも、前記マルチモード無線通信システムにおける少なくとも1つの他の通信システムの信号品質をさらに含んでもよい。
【０１３８】
それに応じて、前記トランシーバ11は、前記端末に、第2測定指示を送信するようにさらに構成されてもよく、前記第2測定指示は、前記現在のサービス通信システム及び前記基本リンクに対応する前記通信システムよりも、前記マルチモード無線通信システムにおける少なくとも1つの他の通信システムの信号品質を測定するための指示として使用される。さらに、前記トランシーバ11は、前記現在のサービス通信システム及び前記基本リンクに対応する前記通信システムよりも、前記マルチモード無線通信システムにおける少なくとも1つの他の通信システムの信号品質を受信するようにさらに構成されてもよく、前記信号品質は、前記端末によって通知される。
【０１３９】
随意に、もし前記端末のいずれか1つのダウンリンクサービスが、少なくとも2つのサービス通信システムにおいて伝送される場合、前記プロセッサ12は、前記少なくとも2つのサービス通信システムの負荷状態及び/又はリンク品質に基づいて、前記少なくとも2つのサービス通信システムの中で伝送される前記端末のダウンリンクサービスデータのパーセンテージを決定するようにさらに構成されてもよい。
【０１４０】
随意に、前記トランシーバ11は、前記基本リンク上の前記端末に、第1オフロード情報を送信するようにさらに構成されてもよく、前記第1オフロード情報は、前記少なくとも2つのサービス通信システムの中で伝送された前記端末のダウンリンクサービスデータの前記パーセンテージを示すために使用される。
【０１４１】
随意に、前記トランシーバ11は、前記端末又は前記サービス通信システムのネットワークデバイスに、第3測定指示を送信するように構成されてもよく、前記第3測定指示は、前記サービス通信システムの現在のリンク品質を測定するための指示として使用される。さらに、前記トランシーバ11は、前記端末又は前記サービス通信システムのネットワークデバイスによって通知された前記サービス通信システムの現在のリンク品質を受信するようにさらに構成されてもよい。
【０１４２】
随意に、もし前記端末いずれか1つのアップリンクサービスが、少なくとも2つのサービス通信システムに伝送される場合、前記プロセッサ12は、前記少なくとも2つのサービス通信システムの特徴情報に基づいて、前記少なくとも2つのサービス通信システムにおける前記端末のいずれか1つのアップリンクサービスを受信する順番を決定するようにさらに構成されてよく、その結果、ネットワーク側は、前記受信する順番に基づいて、前記少なくとも2つのサービス通信システムにおける前記端末のアップリンクサービスデータを受信することができる。
【０１４３】
随意に、前記サービス通信システムの前記特徴情報は、第2オフロード情報を含んでもよく、前記第2オフロード情報は、少なくとも2つのサービス通信システムの中で伝送される前記端末のアップリンクサービスデータのパーセンテージを示すために使用される。
【０１４４】
それに応じて、前記トランシーバ11は、前記基本リンク上の前記端末によって送信された前記第2オフロード情報を受信するようにさらに構成されてもよい。
【０１４５】
本発明のこの実施形態において提供される前記制御サーバは、本発明の実施形態において提供されるマルチモード無線通信システムのシステム制御方法に対応しており、かつ、本発明の実施形態において提供される前記マルチモード無線通信システムのシステム制御方法を実行するためのデバイスである。前記制御サーバによって前記マルチモード無線通信システムのシステム制御方法を実行する特定の処理について、前記マルチモード無線通信システムの前記システム制御方法の実施形態を参照されたく、詳細はここに再度説明しない。
【０１４６】
本発明のこの実施形態において提供される前記制御サーバは、無線アクセスネットワーク側に独立的に展開されるデバイスであってよく、又は、無線アクセスネットワーク側の別のデバイスに機能モジュールとして無線アクセスネットワーク側の別のデバイスに統合されてもよい。前記別のデバイスは、例えば、eNodeB又はRNCを含む。前記制御サーバは、無線アクセスネットワーク側の前記マルチモード無線通信システムにおける各通信システムに対するAPIインターフェースを提供してもよく、その結果、各通信システム上の伝送制御を容易にする。
【０１４７】
本発明のこの実施形態において提供される前記制御サーバは、端末と通信システムとの間に基本リンクを確立し、ついで、前記基本リンク上の前記端末に、制御情報を送信し、その結果、各サービスの伝送のために、前記制御サーバによって選択されたサービス通信システムに基づいて、対応するリンクを確立し、又は解放するように前記端末を制御することができ、それによって、無線リソースの利用及びマルチモード無線通信環境におけるユーザ体験を改善することができる。
【０１４８】
図7は、本発明に基づく端末の実施形態の概略構造図である。図7に示されるように、前記端末は、トランシーバ 21及びプロセッサ 22を含む。
【０１４９】
前記トランシーバ21は、基本リンク上で、制御サーバによって送信された制御情報を受信するように構成され、前記制御情報は、前記端末の各サービスの伝送のためのサービス通信システムを示すために使用され、前記基本リンクは、前記端末とマルチモード無線通信システムにおけるいずれか1つの通信システムとの間に、前記制御サーバによって確立され、前記端末の各サービスの伝送のための前記サービス通信システムは、前記マルチモード無線通信システムから、前記制御サーバによって選択される。
【０１５０】
前記プロセッサ22は、前記制御情報に示される前記サービス通信システムに基づいて、各サービスに対応するリンクを確立し、かつ/又は解放するように構成される。
【０１５１】
図8は、本発明に基づく、端末の別の実施形態の概略構造図である。図8に示されるように、前記端末は、トランシーバ21と、プロセッサ22と、多重無線通信モジュール23とを備える。各無線通信モジュールは、マルチモード無線通信システムにおける1つの通信システムに対応している。
【０１５２】
各無線通信モジュール23は、前記プロセッサ22の制御の下、前記端末と、対応する通信システムとの間にリンクを確立し、又はリンクを解放するように構成される。
【０１５３】
随意に、前記プロセッサ22は、制御情報に示されるサービス通信システムに基づいて、少なくとも1つの無線通信モジュール23上で、クローズ、スタート、又はスリープ制御を実行するようにさらに構成されてもよい。
【０１５４】
実現可能な実施形態において、前記トランシーバ21は、前記マルチモード無線通信システムに、初期リンクを確立するように構成されてもよく、前記初期リンクは、前記端末と前記マルチモード無線通信システムとの間のデフォルトのリンクであるか、又は、最新のサービス伝送のときに前記端末と前記マルチモード無線通信システムとの間に確立される基本リンクである。
【０１５５】
さらに、前記プロセッサ22は、基本リンクのリンク品質を検出するようにさらに構成されてもよい。
【０１５６】
それに応じて、前記トランシーバ21は、前記基本リンクのリンク品質を、制御サーバに通知するようにさらに構成されてもよく、その結果、前記制御サーバは、前記端末と前記マルチモード無線通信システムにおけるいずれか1つの通信システムとの間に新たな基本リンクを確立するか否かを判定する。
【０１５７】
さらに、前記トランシーバ21は、前記制御サーバによって送信される第1測定指示を受信するようにさらに構成されてもよく、前記第1測定指示は、前記基本リンクに対応している通信システムよりも、前記マルチモード無線通信システムにおける少なくとも1つの他の通信システムの現在の信号品質を測定するための指示として使用される。
【０１５８】
それに応じて、前記プロセッサ22は、前記基本リンクに対応している前記通信システムよりも、前記マルチモード無線通信システムにおける少なくとも1つの他の通信システムの現在の信号品質を測定するようにさらに構成されてもよい。
【０１５９】
それに応じて、前記トランシーバ21は、前記基本リンクに対応している前記通信システムよりも、前記マルチモード無線通信システムにおける少なくとも1つの他の通信システムの現在の信号品質を、前記制御サーバに通知するようにさらに構成されてもよい。
【０１６０】
さらに、前記トランシーバ21は、前記制御サーバによって送信された第2測定指示を受信するようにさらに構成されてもよく、前記第2測定指示は、前記現在のサービス通信システム及び前記基本リンクに対応する前記通信システムよりも、前記マルチモード無線通信システムにおける少なくとも1つの他の通信システムの信号品質を測定するための指示として使用される。
【０１６１】
前記プロセッサ22は、前記現在のサービス通信システム及び前記基本リンクに対応する前記通信システムよりも、前記マルチモード無線通信システムにおける少なくとも1つの他の通信システムの信号品質を測定するようにさらに構成されてもよい。
【０１６２】
前記トランシーバ21は、前記現在のサービス通信システム及び前記基本リンクに対応する前記通信システムよりも、前記マルチモード無線通信システムにおける前記少なくとも1つの他の通信システムの信号品質を、前記制御サーバに通知するようにさらに構成されてもよい。
【０１６３】
随意に、もし前記端末のいずれか1つのダウンリンクサービスが、少なくとも2つのサービス通信システムに伝送される場合、前記プロセッサ22は、前記少なくとも2つのサービス通信システムの特徴情報に基づいて、前記少なくとも2つのサービス通信システムにおける前記端末のいずれか1つのダウンリンクサービスを受信する順番を決定し、かつ、前記受信する順番に基づいて、少なくとも2つの通信システムにおけるダウンリンクサービスデータを受信するようにさらに構成されてもよい。
【０１６４】
随意に、前記サービス通信システムの前記特徴情報は、第1オフロード情報を含み、前記第1オフロード情報は、前記少なくとも2つのサービス通信システムの中で伝送された前記端末のダウンリンクサービスデータのパーセンテージを示すために使用される。
【０１６５】
それに応じて、前記トランシーバは、前記制御サーバによって送信された前記第1オフロード情報を受信するようにさらに構成されてもよい。
【０１６６】
随意に、もし前記端末のいずれか1つのアップリンクサービスが、少なくとも2つの通信システムに伝送される場合、前記プロセッサ22は、前記少なくとも2つのサービス通信システムの負荷状態及び/又はリンク品質に基づいて、前記少なくとも2つのサービス通信システムの中で伝送された前記端末のアップリンクサービスデータのパーセンテージを決定するようにさらに構成されてもよい。
【０１６７】
前記トランシーバ21は、前記基本リンク上で、前記制御サーバに第2オフロード情報を送信するようにさらに構成されてもよく、前記第2オフロード情報は、少なくとも2つのサービス通信システムの中で伝送された前記端末のアップリンクサービスデータのパーセンテージを示すために使用される。
【０１６８】
本発明のこの実施形態において提供される前記端末は、本発明の実施形態において提供されたマルチモード無線通信システムのシステム制御方法に対応しており、本発明の実施形態において提供される前記マルチモード無線通信システムのシステム制御方法を実行するデバイスである。前記制御サーバによって前記マルチモード無線通信システムのシステム制御方法を実行する特定の処理については、前記マルチモード無線通信システムのシステム制御方法の実施形態を参照されたく、詳細はここに再度説明しない。
【０１６９】
本発明のこの実施形態において提供される前記端末は、まず、通信システムに対して基本リンクを確立し、ついで、前記基本リンク上で、無線アクセスネットワーク側で制御サーバによって送信された制御情報を受信し、その結果、前記端末は、各サービスの伝送のために前記制御サーバによって選択されたサービス通信システムに基づいて、対応するリンクを確立し、かつ解放することができ、それによって、無線リソースの利用とマルチモード無線通信環境におけるユーザ体験とを改善することができる。
【０１７０】
最後に、前述の実施形態は、本発明を制限するためというよりむしろ単に本発明の技術的解決策を説明することを意図されていることに留意すべきである。本発明は前述の実施形態を参照して詳細に説明したが、当業者は、本発明の実施形態の技術的解決策の精神及び範囲から逸脱することなく、さらに前述の実施形態に記載された技術的解決策への変更を行うか、一部又は全てのその技術的特徴に均等置換を行うことができることを理解すべきである。
【符号の説明】
【０１７１】
１１  プロセッサ
１２  トランシーバ
２１  トランシーバ
２２  プロセッサ
２３  無線通信モジュール
【図１】
0005930442.tif 000002
【図２】
0005930442.tif 000003
【図３Ａ】
0005930442.tif 000004
【図３Ｂ】
0005930442.tif 000005
【図３Ｃ】
0005930442.tif 000006
【図４Ａ】
0005930442.tif 000007
【図４Ｂ】
0005930442.tif 000008
【図４Ｃ】
0005930442.tif 000009
【図５Ａ】
0005930442.tif 000010
【図５Ｂ】
0005930442.tif 000011
【図６】
0005930442.tif 000012
【図７】
0005930442.tif 000013
【図８】
0005930442.tif 000014